(57)【要約】【課題】異物避けネットの取り付け姿勢を安定させること。【解決手段】軒樋２０を吊下支持するとともに、吊下支持する軒樋の上方開口を覆うように異物避けネット１０が取り付けられる吊具であって、反外壁側端部２２の上面には、異物避けネットの網目１３に挿入されて当該異物避けネットを係止する反外壁側ネット係止部３２が設けられ、外壁側端部２４の上面には、前記網目に挿入されて異物避けネットを係止する外壁側ネット係止部３５が設けられている軒樋吊具２０を提供する。【選択図】図１
2010281137.tif 000002
【特許請求の範囲】
【請求項１】
軒樋を吊下支持するとともに、吊下支持する軒樋の上方開口を覆うように異物避けネットが取り付けられる軒樋吊具であって、
反外壁側端部の上面には、前記異物避けネットの網目に挿入されて当該異物避けネットを係止する反外壁側ネット係止部が設けられ、
外壁側端部の上面には、前記網目に挿入されて前記異物避けネットを係止する外壁側ネット係止部が設けられていることを特徴とする軒樋吊具。
【請求項２】
請求項１記載の軒樋吊具であって、
前記反外壁側ネット係止部は、前記反外壁側端部の上面に突設され、かつ先端部が反外壁側を向くとともに先端に大径部、基端に該大径部よりも小径のネック部を有する反外壁側爪部で構成され、
前記外壁側ネット係止部は、前記外壁側端部の上面に突設され、かつ先端部が外壁側を向くとともに先端に大径部、基端に該大径部よりも小径のネック部を有する外壁側爪部で構成されていることを特徴とする軒樋吊具。
【請求項３】
請求項２記載の軒樋吊具であって、
前記外壁側端部において前記外壁側ネット係止部よりも外壁側には、前記異物避けネットを取り付ける際に該異物避けネットの側縁を突き当てて位置決めし、かつ該側縁の外壁側から反外壁側へのスライド移動を案内するネットガイド部が設けられていることを特徴とする軒樋吊具。
【請求項４】
請求項１から３いずれか１項に記載の軒樋吊具と、
前記軒樋吊具に吊下支持された軒樋と、
平面視で一方向に延在する矩形状をなすとともに、平面視で前記一方向と直交する他方向の端部である側端部のうち一方の側端部の網目に前記外壁側ネット係止部が挿入され、かつ他方の側端部の網目に前記反外壁側ネット係止部が挿入された異物避けネットと、
を備えていることを特徴とするネット付き軒樋構造。
【発明の詳細な説明】
【技術分野】
【０００１】
本発明は、軒樋吊具およびネット付き軒樋構造に関する。
【背景技術】
【０００２】
従来、軒樋へ枯葉やゴミなどの異物が入って軒樋が詰まり、軒樋から雨水があふれ出てしまうことがあった。
そこで、例えば下記特許文献１では、軒樋内に異物が入るのを抑制する異物避けネット（枯葉よけネット）を備えるネット付き軒樋構造（枯葉避けネットの取付構造）が提案されている。このネット付き軒樋構造は、建物の外壁に、この外壁に対して離反する反外壁側に向けて突出するように取り付けられるとともに軒樋を吊下可能に形成された軒樋吊具と、ネット取付具（枯葉よけネット取付具）と、を備えている。ネット取付具は、取付具本体の上端部に上係止部、下端部に下係止部が設けられてなり、取付具本体の下端部が軒樋吊具の中央部の上面に取り付けられ、取付具本体が屋根の長手方向に沿って、軒樋吊具と共に設けられている。そして、取付具本体の上係止部又は下係止部の少なくともいずれか一方に異物避けネットが取り付けられている。
【先行技術文献】
【特許文献】
【０００３】
【特許文献１】特開２０００−８７５１９号公報
【発明の概要】
【発明が解決しようとする課題】
【０００４】
しかしながら、前記従来のネット付き軒樋構造では、ネット取付具が軒樋吊具の中央部の上面に取り付けられているので、軒樋吊具に吊り下げられる軒樋の上方開口が異物避けネットによって確実に覆われるように異物避けネットを軒樋吊具に取り付ける際に、以下に示す問題がある。
すなわち、軒樋の上方開口を異物避けネットによって確実に覆うためには、異物避けネットを、軒樋吊具において外壁側端部から反外壁側端部に至るまでの間に位置する部分の上方を覆うように軒樋吊具に取り付けることが望まれるものの、前記従来のネット付き軒樋構造では、異物避けネットを、この異物避けネットにおいて軒樋吊具の中央部の上方に位置する部分のみでしか係止することができない。そのため、異物避けネットを軒樋吊具に取り付ける際に、異物避けネットを、軒樋吊具における中央部の上方で係止部（上係止部もしくは下係止部）に係止されるように局所的に位置決めしつつ、軒樋吊具の外壁側端部から反外壁側端部に至るように全体的に位置決めする必要があった。つまり、異物避けネットを軒樋吊具に対して局所的かつ全体的に２重に位置決めをしながら取り付ける必要があり、取付け作業に手間を要するという問題がある。
【０００５】
本発明は、前述した事情に鑑みてなされたものであって、その目的は、異物避けネットを、外壁側端部から反外壁側端部に至るまでの間に位置する部分の上方を覆うように確実かつ簡単に取り付けることができる軒樋吊具、およびネット付き軒樋構造を提供することである。
【課題を解決するための手段】
【０００６】
前記課題を解決するために、本発明は以下の手段を提案している。
本願の請求項１に係る軒樋吊具は、軒樋を吊下支持するとともに、吊下支持する軒樋の上方開口を覆うように異物避けネットが取り付けられる軒樋吊具であって、反外壁側端部の上面には、前記異物避けネットの網目に挿入されて当該異物避けネットを係止する反外壁側ネット係止部が設けられ、外壁側端部の上面には、前記網目に挿入されて前記異物避けネットを係止する外壁側ネット係止部が設けられていることを特徴とする。
ここで、本明細書において、外壁側および反外壁側とは、当該軒樋吊具が建物の外壁に取り付けられた状態における外壁との相対的な位置関係を表しており、外壁側端部とは、当該軒樋吊具が建物の外壁に取り付けられたときに軒樋吊具において外壁側に位置する端部を意味し、反外壁側端部とは、当該軒樋吊具が建物の外壁に取り付けられたときに軒樋吊具において反外壁側、つまり外壁から離反している側に位置する端部を意味する。
【０００７】
また、本願の請求項２に係る軒樋吊具は、請求項１記載の軒樋吊具であって、前記反外壁側ネット係止部は、前記反外壁側端部の上面に突設され、かつ先端部が反外壁側を向くとともに先端に大径部、基端に該大径部よりも小径のネック部を有する反外壁側爪部で構成され、前記外壁側ネット係止部は、前記外壁側端部の上面に突設され、かつ先端部が外壁側を向くとともに先端に大径部、基端に該大径部よりも小径のネック部を有する外壁側爪部で構成されていることを特徴とする。
【０００８】
また、本願の請求項３に係る軒樋吊具は、請求項２記載の軒樋吊具であって、前記外壁側端部において前記外壁側ネット係止部よりも外壁側には、前記異物避けネットを取り付ける際に該異物避けネットの側縁を突き当てて位置決めし、かつ該側縁の外壁側から反外壁側へのスライド移動を案内するネットガイド部が設けられていることを特徴とする。
【０００９】
また、本願の請求項４に係るネット付き軒樋構造は、請求項１から３いずれか１項に記載の軒樋吊具と、前記軒樋吊具に吊下支持された軒樋と、平面視で一方向に延在する矩形状をなすとともに、平面視で前記一方向と直交する他方向の端部である側端部のうち一方の側端部の網目に前記外壁側ネット係止部が挿入され、かつ他方の側端部の網目に前記反外壁側ネット係止部が挿入された異物避けネットと、を備えていることを特徴とする。
【発明の効果】
【００１０】
本発明によれば、前記した解決手段により下記の作用および効果を奏する。
本願の請求項１記載の発明においては、反外壁側端部の上面に、異物避けネットの網目に挿入されて当該異物避けネットを係止する反外壁側ネット係止部が設けられ、外壁側端部の上面に、前記網目に挿入されて異物避けネットを係止する外壁側ネット係止部が設けられている。したがって、例えば、異物避けネットとして、平面視で一方向に延在する矩形状をなす構成を採用した上で、この異物避けネットを軒樋吊具に取り付ける際には、異物避けネットにおいて、平面視で前記一方向と直交する他方向の端部である側端部のうち一方の側端部の網目に外壁側ネット係止部を挿入してこの一方の側端部を係止するとともに、他方の側端部の網目に反外壁側ネット係止部を挿入してこの他方の側端部を係止する。これにより、異物避けネットの両側端部が外壁側端部上および反外壁側端部上にそれぞれ配置された状態で、異物避けネットが各係止部に係止されるので、異物避けネットを、軒樋吊具において外壁側端部から反外壁側端部に至るまでの間に位置する部分の上方を覆うよう確実に取り付けることができる。
また、このように異物避けネットを軒樋吊具に取り付ける際に、異物避けネットの各側端部が、外壁側端部の上面または反外壁側端部の上面に設けられた各係止部に係止されることから、異物避けネットを各係止部に係止させるための位置決めと、異物避けネットの両側端部を外壁側端部上または反外壁側端部上に配置させるための位置決めと、を同時に行うことが可能になり、異物避けネットを軒樋吊具に対して容易に位置決めして簡単に取り付けることができる。
以上より、異物避けネットを、この軒樋吊具において外壁側端部から反外壁側端部に至るまでの間に位置する部分の上方を覆うように確実かつ簡単に取り付けることができる。
【００１１】
また、本願の請求項２記載の発明においては、反外壁側ネット係止部が、反外壁側端部の上面に突設され、かつ先端部が反外壁側を向く反外壁側爪部で構成され、外壁側ネット係止部が、外壁側端部の上面に突設され、かつ先端部が外壁側を向く外壁側爪部で構成されている。したがって、異物避けネットを、この異物避けネットにおいて前記他方向の中間に位置する部分が上方に向けて凸形状となるように曲げた状態で、下方に向けて曲げられた各側端部を外壁側爪部および反外壁側爪部にそれぞれの外側から近接させることで、各爪部を前記網目に挿入させることができる。これにより、例えば、各側端部を外壁側爪部および反外壁側爪部にそれぞれの内側から近接させることで各爪部を前記網目に挿入させる場合に比べて、各爪部を前記網目に容易に挿入させることが可能になり、異物避けネットを各係止部に容易に係止させることができる。
また、反外壁側爪部および外壁側爪部のそれぞれが、先端に大径部、基端に該大径部よりも小径のネック部を有しているので、各爪部がネック部まで前記網目に挿入された後、この網目の大きさが大径部の大きさよりも小さくなるように異物避けネットを変形させることで、異物避けネットが各爪部から抜け出てしまうのを抑制することが可能になり、異物避けネットを各係止部に強固に係止させることができる。
【００１２】
また、本願の請求項３記載の発明によれば、外壁側端部において外壁側ネット係止部よりも外壁側に、前記ネットガイド部が設けられているので、異物避けネットを取り付ける際に、このネットガイド部に単に異物避けネットの側縁を突き当てるだけで位置決めすることができる。そして、このネットガイド部によって案内させながら、前記側縁を外壁側から反外壁側へスライド移動させることで、外壁側爪部を異物避けネットの網目に挿入させることができる。
以上より、異物避けネットを取り付ける際に、異物避けネットの位置決めを容易に行うことが可能になり、異物避けネットを外壁側ネット係止部に一層容易に係止させることができる。
【００１３】
また、本願の請求項４記載の発明によれば、前記本発明に係る軒樋吊具を備えているので、このネット付き軒樋構造を作製する際に、異物避けネットを、軒樋吊具において外壁側端部から反外壁側端部に至るまでの間に位置する部分の上方を覆うように確実かつ簡単に取り付けることができる。
なお、反外壁側ネット係止部が、反外壁側端部の上面に突設され、かつ先端部が反外壁側を向く反外壁側爪部で構成され、外壁側ネット係止部が、外壁側端部の上面に突設され、かつ先端部が外壁側を向く外壁側爪部で構成される場合には、異物避けネットを、この異物避けネットにおいて前記他方向の中間に位置する部分が上方に向けて凸形状となるように曲げた状態で取り付けることができる。したがって、例えば、異物避けネットが平坦な形状で取り付けられる場合に比べて、異物避けネットの上面に枯葉などの異物が載ったときに、この異物を異物避けネットの上面から落下させ易くすることができる。
【図面の簡単な説明】
【００１４】
【図１】本発明の一実施形態に係るネット付き軒樋構造を示す側面図である。
【図２】図１に示すネット付き軒樋構造を示す上面図である。
【図３】図１に示すネット付き軒樋構造が備える軒樋吊具を示す側面図である。
【図４】図３に示す軒樋吊具を外壁側から見た背面図である。
【図５】図３に示す軒樋吊具に異物避けネットを取り付ける一工程を示す工程図である。
【図６】図３に示す軒樋吊具に異物避けネットを取り付ける一工程を示す工程図である。
【図７】図６に示すＡ−Ａ断面矢視図である。
【発明を実施するための形態】
【００１５】
以下、図面を参照し、本発明の一実施形態に係るネット付き軒樋構造を説明する。
図１および図２に示すように、ネット付き軒樋構造１は、建物Ｓの軒先Ｓ１が延びる方向に沿うように該軒先Ｓ１の下方に配設された軒樋２の上方開口を覆うように異物避けネット１０が配設された構造であり、これにより、軒樋２へ枯葉やゴミなどの異物Ｓ２が入ることに起因した軒樋２の詰まりが抑制されたものである。
【００１６】
ネット付き軒樋構造１は、軒樋２を吊下支持するとともに吊下支持する軒樋２の上方開口を覆うように異物避けネット１０が取り付けられる軒樋吊具２０と、軒樋吊具２０に吊下支持された軒樋２と、平面視で一方向Ｄ１に延在する矩形状をなし軒樋吊具２０に取り付けられた異物避けネット１０と、を備えている。
【００１７】
図１に示すように、軒樋２は、側面視Ｕ字状に形成されており、反外壁側の端部に反外壁側耳部２ａが形成されており、外壁側の端部に外壁側耳部２ｂが形成されている。図示の例では、反外壁側耳部２ａは、反外壁側の端部から内側に向けて突出されるとともに先端部が下方に向けて屈曲された形状に形成され、また、外壁側耳部２ｂは、外壁側の端部から内側に向けて突出されている。
【００１８】
図１および図２に示すように、異物避けネット１０は、この異物避けネット１０の前記一方向Ｄ１が、軒先Ｓ１が延びる方向に沿うように軒樋吊具２０に取り付けられている。
また、異物避けネット１０は、前記一方向Ｄ１に延在するとともに、平面視で前記一方向Ｄ１と直交する他方向Ｄ２に間隔をあけて配置された複数の第１網糸１１と、前記他方向Ｄ２に延在するとともに前記一方向Ｄ１に間隔をあけて配置された複数の第２網糸１２と、によって格子状に形成された構成となっている。
なお、このように形成された異物避けネット１０において、第１網糸１１のうち前記他方向Ｄ２で最も外側に位置する第１網糸１１を、この異物避けネット１０の側縁第１網糸（側縁）１１ａとする。
【００１９】
また、図示の例では、第１網糸１１が、前記他方向Ｄ２に互いに等しい間隔Ｌ１をあけて配置され、第２網糸１２が、前記一方向Ｄ１に互いに等しい間隔Ｌ２をあけて配置されている。そして、異物避けネット１０の網目１３は、この異物避けネット１０における位置によらず同形同大の矩形状（長方形状もしくは正方形状）に形成されており、前記一方向Ｄ１に沿った大きさがＬ２、前記他方向Ｄ２に沿った大きさがＬ１になっている。
【００２０】
また、第１網糸１１および第２網糸１２は、網目１３が広げられるように変形可能に形成されている。本実施形態では、異物避けネット１０は、例えば合成樹脂材料や金属材料などによって一体に形成されることで前述のように変形可能とされ、さらにこの変形後に当該網目１３が元の大きさに復元するように変形可能とされている。なお、前記合成樹脂材料としては、例えば高密度ポリエチレン樹脂や硬質塩化ビニル樹脂などが挙げられる。
【００２１】
また、本実施形態では、異物避けネット１０は、この異物避けネット１０において前記他方向Ｄ２の中間に位置する部分が上方に向けて凸形状となるように曲げられた状態で軒樋吊具２０に取り付けられている。図示の例では、異物避けネット１０は湾曲されているが、上方に向けて凸形状になるように屈曲されていても良い。
【００２２】
図１および図３に示すように、軒樋吊具２０は、建物Ｓの外壁Ｓ３に、この外壁Ｓ３に対して離反する反外壁側に向けて突出するように取り付けられる本体部２１と、軒樋２を吊下支持する一対の軒樋吊下部２３、２５と、を備えている。
本実施形態では、本体部２１は、外壁Ｓ３の表面に対して直交する突出方向Ｄ３に向けて突出しており、この軒樋吊具２０は、軒樋２を、突出方向Ｄ３に直交する方向に当該軒樋２が沿うように吊下可能に形成されている。
【００２３】
本体部２１は、外壁Ｓ３に取り付けられる取付け部２６と、この取付け部２６に反外壁側に向けて突設された腕部２７と、を備えている。
図３および図４に示すように、取付け部２６は、平板状体で形成されるとともに、この取付け部２６には取付け穴２６ａが形成されている。そして、取付け部２６は、例えば図示しない釘などにより外壁Ｓ３に取り付けられる。
【００２４】
図２および図３に示すように、腕部２７は、取付け部２６の表面における上端部の中央に突出方向Ｄ３に向けて突設されている。図３に示すように、腕部２７は、取付け部２６から突出し外壁側から反外壁側に向かうに従い漸次下方に向かう第１部分２８と、この第１部分２８の先端に接続され外壁側から反外壁側に突出方向Ｄ３に沿って真直に延びる第２部分２９と、この第２部分２９の先端に接続され外壁側から反外壁側に向かうに従い漸次上方に向かう第３部分３０と、この第３部分３０の先端に接続され外壁側から反外壁側に突出方向Ｄ３に沿って真直に延びる第４部分３１と、によって構成されている。
【００２５】
図示の例では、第１部分２８の上面は、上方に向けて突出する凸曲面状をなしているとともに、外壁側の端縁が、取付け部２６の上面に反外壁側から段差なく滑らかに連なっている。また、第１部分２８の下面において突出方向Ｄ３の中間に位置する部分は、外壁側から反外壁側に向かうに従い漸次下側に向かう下降傾斜面２８ａで構成されている。
また、第３部分３０の上面は、外壁側から反外壁側に向かうに従い漸次上側に向かう上昇傾斜面３０ａと、外壁側から反外壁側に向けて突出方向Ｄ３に沿って真直に延びる平坦面３０ｂと、が、外壁側から反外壁側に向けてこの順に連なって構成されている。
【００２６】
また、一対の軒樋吊下部２３、２５のうち反外壁側の軒樋吊下部２３は、軒樋吊具２０の反外壁側端部２２の一部である腕部２７の第４部分３１の先端の上面に上方に向けて突設されており、軒樋２の反外壁側耳部２ａを保持する。
また、一対の軒樋吊下部２３、２５のうち外壁側の軒樋吊下部２５は、軒樋吊具２０の外壁側端部２４の一部である腕部２７の第１部分２８の下面における前記下降傾斜面２８ａに外壁側に向けて突設されており、軒樋２の外壁側耳部２ｂを保持する。
ここで、外壁側端部２４とは、軒樋吊具２０が建物Ｓの外壁Ｓ３に取り付けられたときに軒樋吊具２０において外壁側に位置する端部を意味し、反外壁側端部２２とは、軒樋吊具２０が建物Ｓの外壁Ｓ３に取り付けられたときに軒樋吊具２０において反外壁側に位置する端部を意味する。
【００２７】
そして、本実施形態では、反外壁側端部２２の上面には、異物避けネット１０の網目１３に挿入されて当該異物避けネット１０を係止する反外壁側ネット係止部３２が設けられている。図示の例では、反外壁側ネット係止部３２は、反外壁側の軒樋吊下部２３よりも外壁側に設けられ、腕部２７の第３部分３０の上面における上昇傾斜面３０ａと平坦面３０ｂとの連結部分の中央に突設されている。
【００２８】
また、反外壁側ネット係止部３２は、反外壁側端部２２の上面に突設され、かつ先端部が反外壁側を向くとともに先端に大径部３３ａ、基端に該大径部よりも小径のネック部３３ｂを有する反外壁側爪部３３で構成されている。図示の例では、反外壁側ネット係止部３２は、基端部が上下方向に真直に延びるとともに、先端部（反外壁側爪部３３）が鉛直上側に対して反外壁側に傾斜して延びるように中間部分が屈曲された形状をなす板状体で形成されている。
【００２９】
また、図２に示すように、反外壁側ネット係止部３２は、表面および裏面が突出方向Ｄ３に沿っており、反外壁側ネット係止部３２の厚みは、前記網目１３における前記一方向Ｄ１に沿った大きさＬ２よりも小さくなっている。また、図３に示すように、反外壁側爪部３３の大径部３３ａの幅Ｌ３は、前記網目１３における前記他方向Ｄ２に沿った大きさＬ１よりも小さく、ネック部３３ｂの幅Ｌ４は、前記網目１３における前記他方向Ｄ２に沿った大きさＬ１よりも大きくなっている。
【００３０】
さらに、本実施形態では、外壁側端部２４の上面には、前記網目１３に挿入されて異物避けネット１０を係止する外壁側ネット係止部３５が設けられている。また、外壁側ネット係止部３５は、外壁側端部２４の上面に突設され、かつ先端部が外壁側を向くとともに先端に大径部３６ａ、基端に該大径部３６ａよりも小径のネック部３６ｂを有する外壁側爪部３６で構成されている。さらに、外壁側ネット係止部３５は、外壁側端部２４の上面に、鉛直上側に対して反外壁側に傾斜するように突設されている。
【００３１】
図示の例では、外壁側ネット係止部３５は、基端部が鉛直上側に対して反外壁側に傾斜するとともに、先端部（外壁側爪部３６）が外壁側に傾斜して延びるように中間部分が屈曲された形状をなす板状体で形成されている。
また、図２に示すように、外壁側ネット係止部３５は、表面および裏面が突出方向Ｄ３に沿っており、外壁側ネット係止部３５の厚みは、前記網目１３における前記一方向Ｄ１に沿った大きさＬ２よりも小さくなっている。
また、図３に示すように、外壁側爪部３６の大径部３６ａの幅Ｌ５は、前記網目１３における前記他方向Ｄ２に沿った大きさＬ１よりも小さく、ネック部３６ｂの幅Ｌ６は、前記網目１３における前記他方向Ｄ２に沿った大きさＬ１よりも大きくなっている。
【００３２】
また、外壁側端部２４において外壁側ネット係止部３５よりも外壁側には、異物避けネット１０を取り付ける際に該異物避けネット１０の側縁第１網糸１１ａを突き当てて位置決めし、かつ該側縁第１網糸１１ａの外壁側から反外壁側へのスライド移動を案内するネットガイド部３８が設けられている。本実施形態では、ネットガイド部３８は、異物避けネット１０の側縁第１網糸１１ａの外壁側から反外壁側へのスライド移動を案内するスライド部３９と、異物避けネット１０を取り付ける際に該異物避けネット１０の側縁第１網糸１１ａを突き当てて位置決めする突段部４０と、を備えている。
【００３３】
スライド部３９は、外壁側端部２４において外壁側ネット係止部３５に外壁側から連なる部分に反外壁側から外壁側に向けて延在し、上面３９ａが外壁側ネット係止部３５に外壁側から連なる板状体で形成されており、図２に示すように、その表面および裏面は、外壁側ネット係止部３５の表面および裏面とそれぞれ面一に連なっている。つまり、スライド部３９の厚みは、前記網目１３における前記一方向Ｄ１に沿った大きさＬ２よりも小さくなっている。また、図３に示すように、スライド部３９の上面３９ａと外壁側ネット係止部３５との連結部分３９ｂは、下方に向けて窪む凹曲面状をなしているとともに、腕部２７の第１部分２８の下面における前記下降傾斜面２８ａよりも反外壁側に位置している。
また、突段部４０は、スライド部３９において外壁側に位置する部分に突設されており、反外壁側を向く端面４０ａを有している。図示の例では、端面４０ａは、上下方向に概ね沿っている。
【００３４】
ここで、外壁側ネット係止部３５は、外壁側の軒樋吊下部２５よりも反外壁側に設けられている。図示の例では、外壁側ネット係止部３５は、腕部２７の第１部分２８の上面の略中央部に突設されているとともに、スライド部３９の上面３９ａと外壁側ネット係止部３５との連結部分３９ｂが、突出方向Ｄ３において前記下降傾斜面２８ａよりも反外壁側に設けられている。
【００３５】
以上のように構成された軒樋吊具２０は、建物Ｓの外壁Ｓ３において軒先Ｓ１の下方に位置する部分に、軒先Ｓ１が延びる方向に間隔をあけて複数配設されている。ここで、軒樋吊具２０は、軒樋２を、突出方向Ｄ３に直交する方向に当該軒樋２が沿うように吊下可能に形成されているので、複数配設された軒樋吊具２０は、軒樋２を、この軒樋２が建物Ｓの軒先Ｓ１が延びる方向に沿うように、該軒先Ｓ１の下方に吊り下げることができる。
【００３６】
なお、軒樋吊具２０は、例えば合成樹脂材料や金属材料などによって一体に形成されている。前記合成樹脂材料としては、例えばポリカーボネート樹脂や硬質塩化ビニル樹脂などが挙げられる。また、軒樋吊具２０を合成樹脂材料で形成する場合には、例えば射出成形法などで一体に形成することができる。
【００３７】
そして、異物避けネット１０は、前記他方向Ｄ２の端部である側端部のうち一方の側端部の網目１３に外壁側ネット係止部３５が挿入され、かつ他方の側端部の網目１３に反外壁側ネット係止部３２が挿入されている。これにより、異物避けネット１０は、各ネット係止部３２、３５により係止され、軒樋吊具２０に取り付けられている。
【００３８】
次に、以上のように構成されたネット付き軒樋構造１の作用について説明する。以下では、ネット付き軒樋構造１の施工方法について説明する。
はじめに、複数の軒樋吊具２０を、軒先Ｓ１が延びる方向に間隔をあけて外壁Ｓ３に取り付ける吊具取付け工程を行う。
【００３９】
また、上方に向けて凸形状となるように湾曲された異物避けネット１０を形成するネット形成工程を行う。この際、異物避けネット１０を、例えば湾曲されていない平坦形状をなす異物避けネットを湾曲することで形成しても良く、また、円筒状をなす異物避けネットの一部を切断することで形成しても良い。
ここで、本実施形態では、図５〜図７に示すように、異物避けネット１０の一方の側端部には、前記他方向Ｄ２の外側に向けて開口する凹部１３ａが形成されているものとする。この凹部１３ａは、異物避けネット１０の前記一方の側端部における側縁第１網糸１１ａと、この側縁第１網糸１１ａから外側に突出するとともに前記一方向Ｄ１で互いに隣り合う第２網糸１２と、によって画成されている。
【００４０】
次いで、異物避けネット１０を軒樋吊具２０に取り付けるネット取付け工程を行う。
この工程においては、まず、異物避けネット１０の両側端部それぞれを外側から挟みこんで掴むようにして異物避けネット１０を手で把持する。次に、このように異物避けネット１０を把持しつつ、前記凹部１３ａが形成された一方の側端部を軒先Ｓ１と軒樋吊具２０との間に差し込み、異物避けネット１０の一方の側端部を外壁側ネット係止部３５に係止させる。
【００４１】
この係止の方法について詳しく説明すると、まず、図５に示すように、側縁第１網糸１１ａを、突段部４０の端面４０ａに当接させた後、下方に向けてスライド移動させてスライド部３９の上面３９ａに側縁第１網糸１１ａを当接させる。
ここで、図５〜図７に示すように、本実施形態では、異物避けネット１０の一方の側端部には、前記他方向Ｄ２の外側に向けて開口する凹部１３ａが形成されているので、側縁第１網糸１１ａを突段部４０の端面４０ａに当接させる際に、異物避けネット１０を軒先Ｓ１と軒樋吊具２０との間に差し込みつつ異物避けネット１０を前記一方向Ｄ１にずらすという簡単な作業によって、前記凹部１３ａに突段部４０の反外壁側部分を挿入させることで、外壁側爪部３６に対して異物避けネット１０を前記一方向Ｄ１に位置決めすることができる。
さらに、スライド部３９が、外壁側端部２４の上面に突設されているので、側縁第１網糸１１ａから突出する第２網糸１２を外壁側端部２４の上面から浮かせつつ側縁第１網糸１１ａをスライド部３９の上面３９ａに当接させることができる。
【００４２】
次いで、図６に示すように、側縁第１網糸１１ａをスライド部３９の上面３９ａに当接させつつ異物避けネット１０を外壁側から反外壁側に向けてスライド移動させ、異物避けネット１０を、この異物避けネット１０が外壁側ネット係止部３５に対して外壁側から近接するように移動させる。この際、側縁第１網糸１１ａが、スライド部３９の上面３９ａと外壁側ネット係止部３５との連結部分３９ｂに移動されるまで、異物避けネット１０をスライド移動させる。
【００４３】
ここで、異物避けネット１０をスライド移動させる過程において、側縁第１網糸１１ａをスライド部３９の上面３９ａに当接させているので、異物避けネット１０を単にスライド移動させるだけで、この異物避けネット１０を、スライド部３９の上面３９ａを基準として外壁側爪部３６に対して前記他方向Ｄ２に位置決めしつつ、外壁側ネット係止部３５に近接させることができる。これにより、本実施形態では、異物避けネット１０をスライド移動させつつ、外壁側爪部３６に対して前記一方向Ｄ１および前記他方向Ｄ２の両方向に位置決めすることが可能になり、このスライド移動の過程において、異物避けネット１０の網目１３に外壁側ネット係止部３５の外壁側爪部３６を挿入させることができる。
【００４４】
また、異物避けネット１０の網目１３に外壁側爪部３６を挿入するときには、まず、異物避けネット１０において網目１３を画成する部分が外壁側爪部３６の大径部３６ａに接触する。ここで、外壁側爪部３６における大径部３６ａの幅Ｌ５が、前記網目１３における前記他方向Ｄ２に沿った大きさＬ１よりも大きくなっているので、その後さらに異物避けネット１０をスライド移動させることで、前記網目１３を画成する部分が、当該網目１３が広げられるように変形し、前記網目１３を画成する部分と大径部３６ａとが互いに乗り越えさせられる。その後、さらに異物避けネット１０をスライド移動させ、前記網目１３を画成する部分がネック部３６ｂに移動されたときには、前記網目１３を画成する部分は、当該網目１３が元の大きさに復元するように変形する。
【００４５】
なお、前記網目１３を画成する部分と大径部３６ａとが互いに乗り越えた後には、異物避けネット１０をスライド移動させるために外壁側爪部３６から受ける反力が低減する。また、両者が互いに乗り越えて、前記網目１３を画成する部分が前述のように復元変形すると、この部分がネック部３６ｂと衝突して衝突音が生じる。これらより、前記網目１３に外壁側爪部３６が挿入されたことを確実に判断することができる。
【００４６】
本実施形態では、以上に示した方法で異物避けネット１０の一方の側端部を外壁側ネット係止部３５に係止する。なお、異物避けネット１０を手で把持する際に、この一方の側端部側に親指を除く手の先側の指を配置し、これらの指を折るように動かすことで前述のスライド移動を容易に行うことができる。
【００４７】
また、異物避けネット１０の一方の側端部を外壁側ネット係止部３５に係止するのと同時あるいは前後のタイミングで、異物避けネット１０を把持しつつ、異物避けネット１０の他方の側端部を反外壁側ネット係止部３２に係止させる。この際、異物避けネット１０を反外壁側ネット係止部３２に外側から近接させ、外壁側爪部３６を前記網目１３に挿入することで異物避けネット１０を反外壁側ネット係止部３２に係止する。なお、異物避けネット１０を手で把持する際に、この一方の側端部側に親指を配置し、親指で異物避けネット１０を押し込むことで、異物避けネット１０を反外壁側ネット係止部３２に容易に近接させることができる。
【００４８】
以上でネット取付け工程が終了する。なお、本実施形態では、異物避けネット１０を手で把持して取り付けるものとしたが、これに限られるものではない。
そして最後に、軒樋吊具２０に軒樋２を吊下支持させる軒樋吊下工程を行うことで、ネット付き軒樋構造１の施工が終了する。
【００４９】
以上説明したように、本実施形態に係る軒樋吊具２０においては、反外壁側端部２２の上面に、異物避けネット１０の網目１３に挿入されて当該異物避けネット１０を係止する反外壁側ネット係止部３２が設けられ、外壁側端部２４の上面に、前記網目１３に挿入されて異物避けネット１０を係止する外壁側ネット係止部３５が設けられている。したがって、ネット取付け工程において、異物避けネット１０の側端部のうち一方の側端部の網目１３に外壁側ネット係止部３５を挿入するとともに、他方の側端部の網目１３に反外壁側ネット係止部３２を挿入することで、異物避けネット１０の両側端部が外壁側端部２４上および反外壁側端部２２上にそれぞれ配置された状態で、異物避けネット１０が各係止部３２、３５に係止されるので、異物避けネット１０を、軒樋吊具２０において外壁側端部２４から反外壁側端部２２に至るまでの間に位置する部分の上方を覆うよう確実に取り付けることができる。
また、このように異物避けネット１０を軒樋吊具２０に取り付ける際に、異物避けネット１０の各側端部が、外壁側端部２４の上面または反外壁側端部２２の上面に設けられた各係止部３２、３５に係止されることから、異物避けネット１０を各係止部３２、３５に係止させるための位置決めと、異物避けネット１０の両側端部を外壁側端部２４上または反外壁側端部２２上に配置させるための位置決めと、を同時に行うことが可能になり、異物避けネット１０を軒樋吊具２０に対して容易に位置決めして簡単に取り付けることができる。
以上より、異物避けネット１０を、この軒樋吊具２０において外壁側端部２４から反外壁側端部２２に至るまでの間に位置する部分の上方を覆うように確実かつ簡単に取り付けることができる。
【００５０】
また、反外壁側ネット係止部３２が、反外壁側端部２２の上面に突設され、かつ先端部が反外壁側を向く反外壁側爪部３３で構成され、外壁側ネット係止部３５が、外壁側端部２４の上面に突設され、かつ先端部が外壁側を向く外壁側爪部３６で構成されている。したがって、異物避けネット１０を、この異物避けネット１０において前記他方向Ｄ２の中間に位置する部分が上方に向けて凸形状となるように曲げた状態で、下方に向けて曲げられた各側端部を外壁側爪部３６および反外壁側爪部３３にそれぞれの外側から近接させることで、各爪部３３、３６を前記網目１３に挿入させることができる。これにより、例えば、各側端部を外壁側爪部３６および反外壁側爪部３３にそれぞれの内側から近接させることで各爪部３３、３６を前記網目１３に挿入させる場合に比べて、各爪部３３、３６を前記網目１３に容易に挿入させることが可能になり、異物避けネット１０を各係止部３２、３５に容易に係止させることができる。
【００５１】
また、反外壁側爪部３３および外壁側爪部３６のそれぞれが、先端に大径部３３ａ、３６ａ、基端に該大径部３３ａ、３６ａよりも小径のネック部３３ｂ、３６ｂを有しているので、各爪部３３、３６がネック部３３ｂ、３６ｂまで前記網目１３に挿入された後、この網目１３の大きさが大径部３３ａ、３６ａの大きさよりも小さくなるように異物避けネット１０を変形させることで、異物避けネット１０が各爪部３３、３６から抜け出てしまうのを抑制することが可能になり、異物避けネット１０を各係止部３２、３５に強固に係止させることができる。
【００５２】
また、外壁側端部２４において外壁側ネット係止部３５よりも外壁側に、前記ネットガイド部３８が設けられているので、異物避けネット１０を取り付ける際に、このネットガイド部３８に単に異物避けネット１０の側縁第１網糸１１ａを突き当てるだけで位置決めすることができる。そして、このネットガイド部３８によって案内させながら、前記側縁第１網糸１１ａを外壁側から反外壁側へスライド移動させることで、外壁側爪部３６を異物避けネット１０の網目１３に挿入させることができる。
以上より、異物避けネット１０を取り付ける際に、異物避けネット１０の位置決めを容易に行うことが可能になり、異物避けネット１０を外壁側ネット係止部３５に一層容易に係止させることができる。
【００５３】
また、反外壁側ネット係止部３２が、反外壁側の軒樋吊下部２３よりも外壁側に設けられ、外壁側ネット係止部３５が、外壁側の軒樋吊下部２５よりも反外壁側に設けられている。したがって、この軒樋吊具２０に取り付けられる異物避けネット１０を、軒樋吊具２０に吊下支持される軒樋２の上方かつ内側に配置することができる。これにより、異物避けネット１０を伝って下方に落下する雨水Ｓ４（図１参照）を確実に軒樋２内に落下させることができる。
【００５４】
また、本実施形態に係るネット付き軒樋構造１によれば、前記軒樋吊具２０を備えているので、このネット付き軒樋構造１を作製（施工）する際に、異物避けネット１０を、軒樋吊具２０において外壁側端部２４から反外壁側端部２２に至るまでの間に位置する部分の上方を覆うように確実かつ簡単に取り付けることができる。
また、反外壁側ネット係止部３２が、反外壁側端部２２の上面に突設され、かつ先端部が反外壁側を向く反外壁側爪部３３で構成され、外壁側ネット係止部３５が、外壁側端部２４の上面に突設され、かつ先端部が外壁側を向く外壁側爪部３６で構成されているので、異物避けネット１０を、この異物避けネット１０において前記他方向Ｄ２の中間に位置する部分が上方に向けて凸形状となるように曲げた状態で取り付けることができる。したがって、例えば、異物避けネット１０が平坦な形状で取り付けられる場合に比べて、異物避けネット１０の上面に枯葉などの異物Ｓ２（図１参照）が載ったときに、この異物Ｓ２を異物避けネット１０の上面から落下させ易くすることができる。
【００５５】
また、本実施形態では、ネットガイド部３８によって異物避けネット１０を位置決めすることができるので、１つの異物避けネット１０が、前記一方向Ｄ１に互いに離反する複数の位置でそれぞれ異なる軒樋吊具２０によって係止される場合であっても、全ての軒樋吊具２０の外壁側爪部３６を、当該異物避けネット１０において前記他方向Ｄ２の位置が一致する網目１３に挿入させることができる。したがって、各軒樋吊具２０の外壁側爪部３６が、異物避けネット１０において互いに前記他方向Ｄ２に位置ずれした網目１３に挿入されることがなく、異物避けネット１０の取り付け姿勢をより安定させることができる。
【００５６】
なお、本発明の技術的範囲は前記実施形態に限定されるものではなく、本発明の趣旨を逸脱しない範囲において種々の変更を加えることが可能である。
例えば、前記実施形態では、異物避けネット１０は、複数の第１網糸１１と複数の第２網糸１２とによって格子状に形成された構成であり、網目１３が矩形状に形成されるものとしたが、これに限られるものではない。また、軒樋吊具２０の本体部２１の形態は、前記実施形態に示すものに限られるものではない。
【００５７】
また、反外壁側ネット係止部３２および外壁側ネット係止部３５は、前記実施形態に示すものに限られるものではない。例えば、反外壁側ネット係止部３２は、反外壁側端部２２の上面に単に鉛直上側に向けて突設されたものであっても良く、また、外壁側ネット係止部３５も、外壁側端部２４の上面に単に鉛直上側に向けて突設されたものであっても良い。
【００５８】
また、前記実施形態では、反外壁側爪部３３および外壁側爪部３６は、いずれも先端に大径部３３ａ、３６ａ、基端に該大径部よりも小径のネック部３３ｂ、３６ｂを有するものとしたが、これに限られるものではない。
また、前記実施形態では、軒樋吊具２０は、ネットガイド部３８を備えているものとしたが、これに限られるものではなく、ネットガイド部３８は無くても良い。また、ネットガイド部３８を備える場合であっても、ネットガイド部は、前記実施形態に示した形態に限られるものではなく、例えばスライド部３９のみ備える構成としても良い。
【００５９】
また、前記実施形態では、反外壁側ネット係止部３２は、反外壁側の軒樋吊下部２３よりも外壁側に設けられ、外壁側ネット係止部３５は、外壁側の軒樋吊下部２５よりも反外壁部側に設けられているものとしたが、これに限られるものではない。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１  ネット付き軒樋構造
２  軒樋
１０  異物避けネット
１１ａ  側縁第１網糸（側縁）
１３  網目
２０  軒樋吊具
２２  反外壁側端部
２４  外壁側端部
３２  反外壁側ネット係止部
３３  反外壁側爪部
３３ａ、３６ａ  大径部
３３ｂ、３６ｂ  ネック部
３５  外壁側ネット係止部
３６  外壁側爪部
３８  ネットガイド部
Ｄ１  一方向
Ｄ２  他方向
【図１】
2010281137.tif 000003
【図２】
2010281137.tif 000004
【図３】
2010281137.tif 000005
【図４】
2010281137.tif 000006
【図５】
2010281137.tif 000007
【図６】
2010281137.tif 000008
【図７】
2010281137.tif 000009